(57)【要約】  【課題】  マッサージ用吐水孔から噴出する噴出流が人体に当たって空気中に飛散するのを防止できるマッサージ機能付ハンドシャワを提供すること。  【解決手段】  マッサージ用吐水孔１２を有する可動ディスク９が設置される中央開口５とこの中央開口５の外周に形成されたシャワ用吐水孔６とを備えたシャワ板１に、前記マッサージ用吐水孔１２から噴出する噴出流Ｂの飛散を防止するよう噴出流Ｂの外周を覆うスクリーンを形成するためのスクリーン用吐水孔１４を設けてある。  【選択図】  図１
2005124752.tif 000002
【特許請求の範囲】
【請求項１】
マッサージ用吐水孔を有する可動ディスクが設置される中央開口とこの中央開口の外周に形成されたシャワ用吐水孔とを備えたシャワ板に、前記マッサージ用吐水孔から噴出する噴出流の飛散を防止するよう噴出流の外周を覆うスクリーンを形成するためのスクリーン用吐水孔を設けてあることを特徴とするマッサージ機能付ハンドシャワ。
【請求項２】
前記スクリーン用吐水孔は、前記シャワ用吐水孔と中央開口との間に形成されている請求項１に記載のマッサージ機能付ハンドシャワ。
【請求項３】
前記可動ディスクを収容する固定部材を設けてある請求項１または請求項２に記載のマッサージ機能付ハンドシャワ。
【請求項４】
前記固定部材は、配管からの水流を渦巻流に変換する部材と、前記可動ディスクを一方向に回転させるための回転中心軸部とを有する一方、前記可動ディスクは、前記渦巻流が当たり続けることで当該可動ディスクを一方向に回転させるための羽根を有し、また、前記固定部材と可動ディスクの間には、前記渦巻流を前記スクリーン用吐水孔に供給するための隙間が設けられている請求項１ないし請求項３のいずれかに記載のマッサージ機能付ハンドシャワ。
【発明の詳細な説明】
【技術分野】
【０００１】
この発明は、マッサージ機能付ハンドシャワに関するものである。
【背景技術】
【０００２】
マッサージ機能付ハンドシャワとして、下記特許文献１に示すように、例えば湯水混合水栓に給水ホースを介して接続されるシャワヘッド７０〔図６（Ａ）、図６（Ｂ）参照〕の前面の吐水用の開口部７１内に固定ディスク７２を設け、固定ディスク７２上に弁座部材７３を摺動自在に設け、弁座部材７３をシャワ板７４の裏面に係止するとともに、弁座部材７３内に、吐水流路Ｓを渦巻流路Ｒに変換する一対の翼７５ａ，７５ａを有する渦巻翼７５を設け、シャワ板７４の裏面および渦巻翼７５間においてシャワ板７４および渦巻翼７５のいずれとも非接触の状態で回転可能な羽根車７６を設け、羽根車７６に、渦巻流路Ｒをシャワ板７４に設けた複数のマッサージ用吐水孔７７〔図６（Ｃ）参照〕に連通させる連通孔を形成し、また、シャワ板７４は、ロックハンドル７８によってヘッド７０の前面にシャワ状態とマッサージ状態の切替えが可能なように固定されており、シャワ板７４がマッサージ状態に切替えられているときは、吐水流路Ｓはこれが渦巻翼７５の渦流出口およびを経た後は、渦巻流路Ｒに変換され、渦巻流路Ｒの渦巻が羽根車７６の羽根に当たり続けることで羽根車７６が渦巻翼７５の回転中心軸部７５ａのまわりを勢いよく一方向に回転するとともに、この間に、羽根車７６に形成した前記連通孔を介してシャワ板７４のマッサージ用吐水孔７７から吐水するように構成されたものがある。
【特許文献１】特開２００１−３１４４６７号公報
【発明の開示】
【発明が解決しようとする課題】
【０００３】
ところで、マッサージ用吐水孔７７から噴出する噴出流は人体に当たって例えば浴室内の空気中に飛散する。すなわち、垢等に当たった水が空気中に跳ね返ることから、浴室内の空気が汚れることになり、衛生上問題がある。
【０００４】
この発明は、上述の事柄に留意してなされたもので、その目的は、マッサージ用吐水孔から噴出する噴出流が人体に当たって空気中に飛散するのを防止できるマッサージ機能付ハンドシャワを提供することである。
【課題を解決するための手段】
【０００５】
上記目的を達成するために、この発明のマッサージ機能付ハンドシャワは、マッサージ用吐水孔を有する可動ディスクが設置される中央開口とこの中央開口の外周に形成されたシャワ用吐水孔とを備えたシャワ板に、前記マッサージ用吐水孔から噴出する噴出流の飛散を防止するよう噴出流の外周を覆うスクリーンを形成するためのスクリーン用吐水孔を設けてあることを特徴とする。
【発明の効果】
【０００６】
この発明では、マッサージ用吐水孔を有する可動ディスクが設置される中央開口とこの中央開口の外周に形成されたシャワ用吐水孔とを備えたシャワ板に、前記マッサージ用吐水孔から噴出する噴出流の飛散を防止するよう噴出流の外周を覆うスクリーンを形成するためのスクリーン用吐水孔を設けたので、人体に当たって跳ね返ったマッサージ用吐水孔からの水が空気中に飛散するのを水流からなるスクリーンにて防止でき、衛生上の問題を解決できる。
【発明を実施するための最良の形態】
【０００７】
以下、この発明の実施形態を、図を参照しながら説明する。なお、それによってこの発明は限定されるものではない。
【０００８】
図１〜図３は、例えば浴室に設置されているこの発明の一実施形態を示す。
図１〜図３において、１は、マッサージ機能付ハンドシャワ２の樹脂製シャワ板で、リング状のロックハンドル２ａが装着されている。このシャワ板１は、正面視円形であり、ヘッド３の前面に設けたヘッド口部４に取り付けられている。シャワ板１は、円形の中央開口５と、この中央開口５の外周に多数形成されたシャワ用吐水小孔６とを備えている。７は、スプリングＱによって付勢された状態で、ヘッド口部４内に固定設置された固定部材で、上流側に上方開口を有する有底筒状の外側部分７ａとこの外側部分７ａ内に設けられた筒状の内側部分７ｂとから構成されている。外側部分７ａの外側には、シャワ用吐水小孔６に連通する正面視環状のシャワ室８が形成されており、外側部分７ａは、ヘッド３に設けた流通孔３ａを介して、配管からの水を供給する供給流路Ｓに連通する導入孔７ｃ，７ｃを有する。更に、内側部分７ｂは、回転可能に収容された可動ディスク９を下流側に有し、また、供給流路Ｓの水流を渦巻流（図示せず）に変換する複数の変換部材１０を可動ディスク９の直上流側に有し、また、可動ディスク９を一方向（Ａ方向）に回転させるための回転中心軸部１１を有する。更に、前記可動ディスク９は、一つのマッサージ用吐水孔１２を有するとともに、前記渦巻流が当たり続けることで当該可動ディスク９を回転中心軸部１１のまわりで、一方向（Ａ方向）に回転させ、それによって、マッサージ用吐水孔１２から肌に対して満足のゆく打力感が得られる螺旋軌道Ｈを描く吐水圧力の強い噴出流Ｂを噴出させうる複数の羽根１３を有する。この実施形態では、一つのマッサージ用吐水孔１２は、前記渦巻流の入口１２ａと噴出流Ｂの出口１２ｂは同軸Ｐ上にある。そのため、後述するように、筒状のスクリーンが形成される。そして、一つのマッサージ用吐水孔１２は、可動ディスク９の回転中心から外周寄りに変位した位置に設けられているが、この位置に限るものではない。また、この発明では、マッサージ用吐水孔１２は複数の場合にも適用でき、それらの配置位置は適宜に設定できる。
【０００９】
１４は、シャワ板１に設けたスクリーン用吐水小孔で、マッサージ用吐水孔１２から噴出する噴出流Ｂが人体に当たって空気中に飛散するのを防止するよう噴出流Ｂの外周を覆う筒状のスクリーンを形成する。すなわち、マッサージ用吐水孔１２からの水が人体に当たって空気中に飛散すると例えば浴室内の空気が汚れることになり、衛生上問題があるが、この発明では、人体に当たった水が浴室内に飛散するのを水流からなるスクリーンにて防止できる。スクリーン用吐水小孔１４は、シャワ用吐水小孔６と中央開口５との間に複数個形成されている。この実施形態では、複数個のスクリーン用吐水孔１４は、中央開口５寄りで、中央開口５よりも僅かに大きな径を持つ同心円上に等間隔を有して一列に配列されているが、二列、三列等に配列してもよい。１５は、前記一つのスクリーン用吐水小孔１４から吐水する吐水流を示し、複数個の吐水流１５によって前記噴出流Ｂの外周を覆う筒状のスクリーンが形成される。１６は、前記内側部分７ｂで発生した前記渦巻流を前記スクリーン用吐水小孔１４に供給するための隙間である。
【００１０】
而して、ロックハンドル２ａによってシャワ板１がマッサージ状態に切替えられているときは、配管からの水流が複数の変換部材１０によって渦巻流に変換され、この渦巻流が複数の羽根１３に当たり続けることで可動ディスク９は回転しながら、マッサージ用吐水孔１２から噴出流Ｂが噴出するとともに、前記渦巻流は可動ディスク９と内側部分７ｂ間に形成された隙間１６を介してスクリーン用吐水小孔１４に供給され、噴出流Ｂの外周側を覆う筒状のスクリーンが形成される。そのため、人体に当たって跳ね返ったマッサージ用吐水孔１２からの水が空気中に飛散するのを防止でき、衛生上の問題を解決できる。
【００１１】
図４、図５は、噴出流Ｂの外周を覆う末拡がり状のスクリーンを形成するように構成したこの発明の他の実施形態を示す。図４、図５において、図１〜図３に示した符号と同一のものは、同一または相当物である。
【００１２】
図４、図５において、渦巻流の入口１２ａと噴出流Ｂの出口１２ｂを変位させた位置に設けることによって、マッサージ用吐水孔１２を傾斜させ、それによって、噴出流Ｂの当たる面積を大きくしてある。また、複数個のスクリーン用吐水孔１４は、噴出流Ｂの外周を覆うことができるようそれぞれ、外側向きにシャワ板１に形成されている。１５’は、前記一つのスクリーン用吐水小孔１４から吐水する吐水流を示し、複数個の吐水流１５’によって前記噴出流Ｂの外周を覆う末拡がり状のスクリーンが形成される。  
【図面の簡単な説明】
【００１３】
【図１】この発明の一実施形態における使用状態を示す斜視図である。
【図２】（Ａ）は、上記実施形態における使用状態を示す要部構成説明図である。（Ｂ）は、上記実施形態で用いた可動ディスクに対するマッサージ用吐水孔の位置を示す構成説明図である。（Ｃ）は、上記実施形態で用いたマッサージ用吐水孔を示す断面図である。
【図３】上記実施形態を示す全体構成説明図である。
【図４】この発明の他の実施形態における使用状態を示す斜視図である。
【図５】（Ａ）は、上記他の実施形態における使用状態を示す要部構成説明図である。（Ｂ）は、上記他の実施形態で用いた可動ディスクに対するマッサージ用吐水孔の位置を示す構成説明図である。（Ｃ）は、上記他の実施形態で用いたマッサージ用吐水孔を示す断面図である。
【図６】（Ａ）は、従来例を示す全体構成説明図である。（Ｂ）は、従来例におけるマッサージ動作を示す構成説明図である。（Ｃ）は、従来例で用いたシャワ板を示す正面図である。
【符号の説明】
【００１４】
１      シャワ板
２      マッサージ機能付ハンドシャワ
５      中央開口
６      シャワ用吐水孔
９      可動ディスク
１２    マッサージ用吐水孔
１４    スクリーン用吐水孔
Ｂ      噴出流
【図１】
2005124752.tif 000003
【図２】
2005124752.tif 000004
【図３】
2005124752.tif 000005
【図４】
2005124752.tif 000006
【図５】
2005124752.tif 000007
【図６】
2005124752.tif 000008